(57)【要約】【課題】電極群を多列配置した表示素子と配線板とを、電極群間での短絡の可能性を少なくしつつ容易に接続する。【解決手段】表示装置１１は、光変調層１１ｇを挟む第１および第２の透明基板１１ａ，１１ｂを有し、第１の透明基板のうち第２の透明基板よりも延びた面上に、第１および第２の素子側電極群１１ｅ，１１ｆが列をなすように配置された表示素子１１Ａを用いる。さらに、第１および第２の配線板側電極群１２ｅ，１２ｆを有する配線板１２と、導電性弾性層１３ａおよび絶縁性弾性層１３ｂが交互に積層された弾性コネクタとを用いる。弾性コネクタとして、第１の素子側電極群と第１の配線板側電極群を電気的に接続する第１のコネクタ１３ｅと、第２の素子側電極群と第２の配線板側電極群を電気的に接続する第２のコネクタ１３ｆとを用いる。【選択図】  図１Ａ
2007199460.tif 000002
【特許請求の範囲】
【請求項１】
光変調層を挟む第１および第２の透明基板を有し、前記第１の透明基板のうち前記第２の透明基板よりも第１の方向に延びた基板面上に、第１および第２の素子側電極群がそれぞれ、前記第１の方向に直交する第２の方向に配置された表示素子と、
それぞれ前記第２の方向に配置された第１および第２の配線板側電極群を有する配線板と、
弾性導電層および弾性絶縁層が前記第２の方向に交互に積層された弾性コネクタであって、前記第１の素子側電極群と前記第１の配線板側電極群を電気的に接続する第１のコネクタ、および前記第２の素子側電極群と前記第２の配線板側電極群を電気的に接続する第２のコネクタとを有することを特徴とする表示装置。
【請求項２】
前記第１の方向において、前記第１および第２の素子側電極群は、前記第１の透明基板の端部である第１の端部と前記第２の透明基板の端部である第２の端部との間に配置され、かつ前記第１の素子側電極群が、前記第２の素子側電極群よりも前記第１の端部に近い位置に配置されており、
前記第１の端部から前記第１の素子側電極群における前記第２の端部側の端部までの寸法、および前記第２の端部から前記第２の素子側電極群における前記第１の端部側の端部までの寸法がそれぞれ、前記第１および第２のコネクタにおける前記第１の方向での各幅よりも小さいことを特徴とする請求項１に記載の表示装置。
【請求項３】
前記第１のコネクタと前記第２のコネクタとの間に、絶縁層が形成されていることを特徴とする請求項１に記載の表示装置。
【請求項４】
前記第１のコネクタと前記第２のコネクタとが、前記絶縁層としての絶縁性弾性部材を間に挟んで一体化されていることを特徴とする請求項３に記載の表示装置。
【請求項５】
前記第１の方向において、前記第１および第２の素子側電極群は、前記第１の透明基板の端部である第１の端部と前記第２の透明基板の端部である第２の端部との間に配置され、かつ前記第１の素子側電極群が、前記第２の素子側電極群よりも前記第１の端部に近い位置に配置されており、
前記第１の端部から前記第１の素子側電極群における前記第２の端部側の端部までの寸法、および前記第２の端部から前記第２の素子側電極群における前記第１の端部側の端部までの寸法がそれぞれ、前記第１および第２のコネクタにおける前記第１の方向での各幅と前記絶縁層の前記第１の方向での幅との和以下であることを特徴とする請求項３又は４に記載の表示装置。
【請求項６】
光変調層を挟む第１および第２の透明基板を有し、前記第１の透明基板のうち前記第２の透明基板よりも第１の方向に延びた基板面上に、第１および第２の素子側電極群がそれぞれ、前記第１の方向に直交する第２の方向に配置された表示素子と、
それぞれ前記第２の方向に配置された第１および第２の配線板側電極群を有する配線基板と、
弾性絶縁部材内に、前記素子側電極群と前記配線板側電極群との接続方向に延びる複数の導電体が前記第２の方向に配置された弾性コネクタであって、前記第１の素子側電極群と前記第１の配線板側電極群を電気的に接続する第１の導電体群、および前記第２の素子側電極群と前記第２の配線板側電極群を電気的に接続する第２の導電体群を含むコネクタとを有することを特徴とする表示装置。
【請求項７】
前記第１の方向において、前記第１および第２の素子側電極群は、前記第１の透明基板の端部である第１の端部と前記第２の透明基板の端部である第２の端部との間に配置され、かつ前記第１の素子側電極群が、前記第２の素子側電極群よりも前記第１の端部に近い位置に配置されており、
前記第１の端部から前記第１の素子側電極群における前記第２の端部側の端部までの寸法、および前記第２の端部から前記第２の素子側電極群における前記第１の端部側の端部までの寸法がそれぞれ、前記第１および第２の導電体群における前記第１の方向での各幅よりも小さいことを特徴とする請求項６に記載の表示装置。
【請求項８】
前記表示素子と前記配線板とが互いに対向するように配置されていることを特徴とする請求項１から７のいずれか１つに記載の表示装置。
【請求項９】
請求項１から８のいずれか１つに記載の表示装置を備えたことを特徴とする光学機器。
【発明の詳細な説明】
【技術分野】
【０００１】
本発明は、２枚の透明基板の間に液晶等の光変調層を設けた表示素子とプリント基板等の配線基板とを有する表示装置の電気的接続構造に関する。
【背景技術】
【０００２】
２枚の透明基板間に液晶層を設けた液晶表示素子を用いた液晶表示装置の一般的な例を図４に示す。図４において、２１は液晶表示素子であり、第１のガラス基板２１ａと、該第１のガラス基板２１ａよりサイズが小さい第２のガラス基板２１ｂと、両ガラス基板２１ａ，２１ｂの外面に貼り付けられた第１および第２の偏光板２１ｃ，２１ｄとを有する。第１のガラス基板２１ａのうち第２のガラス基板２１ｂよりも延出した部分には、外部から電気信号を受けるための素子側電極群２１ｅが形成されている。
【０００３】
素子側電極群２１ｅに電気信号を印加することにより、第１のガラス基板２１ａと第２のガラス基板２１ｂとの間に挟まれた液晶層（図示せず）の光変調状態が変化する。そして、この液晶層の光変調状態と２つの偏光板２１ｃ，２１ｄの作用によって表示、非表示が決定される。このため、該電気信号を制御することにより、液晶表示素子２１に所望の表示を行わせることができる。
【０００４】
２２はプリント配線板である。該プリント配線板２２における液晶表示素子２１の素子側電極群２１ｅに対応した位置には、配線板側電極群２２ｅが形成されている。
【０００５】
２３は弾性コネクタとしての異方導電性ゴムコネクタであり、導電層２３ａと絶縁層２３ｂとが交互に積層されて構成されている。異方導電性ゴムコネクタ２３は、電気的異方性を有する。すなわち、導電層２３ａと絶縁層２３ｂの積層方向には絶縁性を有し、積層方向に対して直交する方向には導電性を有する。
【０００６】
プリント配線板２２には、図示しない液晶駆動回路からの液晶駆動信号が供給され、該駆動信号は、配線板側電極群２２ｅおよびゴムコネクタ２３の導電層２３ａを介して液晶表示素子２１の素子側電極群２１ｅに伝達される。
【０００７】
但し、図４に示した液晶表示装置のように電極群を１列に配置しただけでは、配置できる電極群の数が少なく、表示させることができる情報（画素数）にも制約がある。このため、特許文献１には、液晶表示装置のサイズを大きくすることなく、電極群の配置数を増加させ、より多くの情報の表示をも可能とした液晶表示装置が開示されている。図５には、該特許文献１にて開示された液晶表示装置を示している。
【０００８】
３１は液晶表示素子であり、素子側電極群の数および配置を除いて、図４の液晶表示素子と同じ構成を有する。３２はプリント配線板である。図４に示した液晶表示装置に対して、図５の液晶表示装置では、図の左右方向に延びる２列の素子側電極群３１ｅ，３１ｆが形成されている。
【０００９】
一方、プリント配線板３２における素子側電極群３１ｅ，３１ｆに対応した位置にも、２列の配線板側電極群３２ｅ，３２ｆが形成されている。素子側電極群３１ｅ，３１ｆはそれぞれ、配線板側電極群３２ｅ，３２ｆに異方導電性膜３５を介して電気的に接続される。異方導電性膜３５は、素子側電極群３１ｅ，３１ｆと配線板側電極群３２ｅ，３２ｆに熱圧着され、各電極の表面に対して垂直な方向にのみ導電性を有する。
【特許文献１】特開平０１−１５２４２５号公報(２頁左下欄１０行〜同頁右上欄８行、図１等)
【発明の開示】
【発明が解決しようとする課題】
【００１０】
しかしながら、図５に示すように薄い異方導電性膜３５によって素子側電極群３１ｅ，３１ｆと配線板側電極群３２ｅ，３２ｆとを接続すると、プリント配線板３３を、第２のガラス基板との干渉を避けるために図の下方に延ばすように配置せざるを得ない。このことは、該液晶表示装置の周辺での部品配置の制約となるおそれがある。
【００１１】
このため、素子側電極群と配線板側電極群との接続を、図４に示すような異方導電性ゴムコネクタ２３を用いて行い、該コネクタ２３にスペーサとしての役割も果たさせるようにすることが望ましい。しかし、図４に示す１列電極タイプのコネクタ２３を用いると、コネクタ２３の配置誤差等によって、図５中に二点鎖線およびハッチング部として示すように、導電層２３ａが２列の電極群（図中に黒丸印で示した電極間）にまたがって接触するおそれがある。この場合、２列の電極群同士が短絡してしまう。言い換えれば、コネクタ２３の厳密な配置精度が要求され、表示装置の組立が困難になる。
【００１２】
本発明は、電極群を多列配置した表示素子と配線板とを、電極群間での短絡の可能性を少なくしつつ、弾性コネクタを用いて容易に接続することができるようにした表示装置を提供することを目的としている。
【課題を解決するための手段】
【００１３】
本発明の一側面としての表示装置は、光変調層を挟む第１および第２の透明基板を有し、第１の透明基板のうち第２の透明基板よりも第１の方向に延びた基板面上に、第１および第２の素子側電極群がそれぞれ、第１の方向に直交する第２の方向に配置された表示素子を用いる。また、該表示装置は、それぞれ第２の方向に配置された第１および第２の配線板側電極群を有する配線板と、弾性導電層および弾性絶縁層が第２の方向に交互に積層された弾性コネクタとを用いる。そして、該表示装置は、弾性コネクタとして、第１の素子側電極群と第１の配線板側電極群を電気的に接続する第１のコネクタと、第２の素子側電極群と第２の配線板側電極群を電気的に接続する第２のコネクタとを用いることを特徴とする。
【００１４】
また、本発明の他の側面としての表示装置は、光変調層を挟む第１および第２の透明基板を有し、第１の透明基板のうち第２の透明基板よりも第１の方向に延びた基板面上に、第１および第２の素子側電極群がそれぞれ、第１の方向に直交する第２の方向に配置された表示素子を用いる。また、該表示装置は、それぞれ第２の方向に配置された第１および第２の配線板側電極群を有する配線基板と、弾性絶縁部材内に、素子側電極群と配線板側電極群との接続方向に延びる複数の導電体が第２の方向に配置された弾性コネクタを用いる。そして、該表示装置は、弾性コネクタとして、第１の素子側電極群と第１の配線板側電極群を電気的に接続する第１の導電体群、および第２の素子側電極群と第２の配線板側電極群を電気的に接続する第２の導電体群を含むコネクタを用いることを特徴とする。
【００１５】
なお、上記表示装置を備えた光学機器も、本発明の他の側面を構成する。
【発明の効果】
【００１６】
本発明によれば、表示素子に設けられた少なくとも２列の素子側電極群を、該素子側電極群ごとに設けた弾性コネクタ又は導電体群によって別々に配線板側電極群に接続することができる。このため、弾性コネクタの配置に多少の誤差があっても、電極群間に短絡が生じにくい接続構造を実現することができる。したがって、表示素子と配線板との高い信頼性を持った電気的接続を容易に行うことができる。
【００１７】
しかも、この接続構造を採用することで、表示素子と配線板とを対向配置する等して表示装置をコンパクトにまとめることができ、該表示装置を搭載する光学機器の小型化を図ることもできる。
【発明を実施するための最良の形態】
【００１８】
以下、本発明の実施例について図面を参照しながら説明する。
【実施例１】
【００１９】
図２には、本発明の実施例１である液晶表示装置を搭載した光学機器としてコンパクトデジタルカメラを示している。
【００２０】
図２において、１００はカメラ本体、１０１は該カメラ本体１００の前面に設けられた撮影レンズ鏡筒である。１０２は撮影スイッチ、１０３はファインダーの物体窓である。また、１０４は測光窓、１０５はフラッシュユニットである。
【００２１】
１１は液晶表示装置であり、カメラの撮影モード、撮影可能画像数、フラッシュ発光の有無、日付（時刻）等の各種情報を表示する。
【００２２】
図１Ａは、本実施例の液晶表示装置１１の構成を示す正面図および側面図である。なお、左側の正面図の一部には、後述する異方導電性ゴムコネクタの断面を示している。また、以下の図１Ａを用いた液晶表示装置１１の説明において、上下方向とは図１Ａでの上下方向を、左右方向とは図１Ａでの左右方向を示す。
【００２３】
図１Ａにおいて、１１Ａは液晶表示素子である。該液晶表示素子１１Ａは、第１の透明基板としての第１のガラス基板１１ａと、該第１のガラス基板１１ａよりも上下方向にＬ１だけ小さい第２の透明基板としての第２のガラス基板１１ｂとを有する。第１のガラス基板１１ａと第２のガラス基板１１ｂとの間には、光変調層としての液晶層１１ｇが挟み込まれている。
【００２４】
また、第１のガラス基板１１ａと第２のガラス基板１１ｂの外面にはそれぞれ、第１の偏光板１１ｃと第２の偏光板１１ｄとが貼り付けられている。
【００２５】
第１のガラス基板１１ａは、第２のガラス基板１１ｂの下端部（第２の端部）よりも下方（第１の方向）に延びた部分を有する。そして、該部分のうち第２のガラス基板側を向いた基板面上であって、第１のガラス基板１１ａの下端部（第１の端部）と第２のガラス基板１１ｂの下端部との間には、左右方向（第２の方向）に列をなす素子側電極群１１ｅ，１１ｆが形成されている。すなわち、素子側電極群１１ｅ，１１ｆが２列に配置されている。
【００２６】
以下、これら２列の素子側電極群１１ｅ，１１ｆのうち、第１のガラス基板１１ａの下端部に近い方を第１の素子側電極群１１ｅと称し、第２のガラス基板１１ｂの下端部に近い方を第２の素子側電極群１１ｆと称する。
【００２７】
第１の素子側電極群１１ｅと第２の素子側電極群１１ｆとは上下方向において互いに重ならないように形成されている。言い換えれば、第１の素子側電極群１１ｅと第２の素子側電極群１１ｆの各電極が千鳥状に配置されている。そして、第２の素子側電極群１１ｆのうち隣り合う電極間には、第１の素子側電極群１１ｅの各電極から液晶層側に延びる配線部１１ｈが形成されている。また、第２の素子側電極群１１ｅの各電極からも液晶層側に配線部１１ｉが延びている。
【００２８】
第１および第２の素子側電極群１１ｅ，１１ｆに電気信号が印加されると、配線部１１ｈ，１１ｉを介して液晶層１１ｇ内に与えられる電界が変化し、これにより光変調状態が変化する。前述した各種情報の表示領域ごとに第１および第２の素子側電極群１１ｅ，１１ｆに印加する電気信号を制御することにより、様々な情報（文字や記号等）を表示することができる。
【００２９】
１２は液晶表示素子１１Ａの第２のガラス基板１１ｂ側の面に対向するよう配置されるプリント配線板である。該プリント基板１２の下端部近傍には、第１および第２の素子側電極群１１ｅ，１１ｆにそれぞれ対応する第１および第２の配線板側電極群１２ｅ，１２ｆが２列をなすように形成されている。プリント配線板１２は、カメラに搭載された表示制御回路（図示せず）に接続されている。
【００３０】
１３ｅ，１３ｆは弾性コネクタとしての第１および第２の異方導電性ゴムコネクタ（以下、単にゴムコネクタという）である。各ゴムコネクタは、シリコーンゴム等に導電粒子を混ぜ込んだ導電性ゴムにより構成される弾性導電層１３ａと、シリコーンゴム等の絶縁性ゴムにより構成される弾性絶縁層１３ｂとが、各電極群の列方向に交互に積層されて構成されている。各ゴムコネクタは、この積層構造によって電気的異方性を有する。すなわち、積層方向には絶縁性を有し、積層方向に対して直交する方向には導電性を有する。
【００３１】
第１のゴムコネクタ１３ｅは、その弾性力によって第１の素子側電極群１１ｅと第１の配線板側電極群１２ｅとに圧接し、これら電極群１１ｅ，１２ｅのうち対応する電極同士を電気的に接続する。これと同様に、第２のゴムコネクタ１３ｆは、その弾性力によって第２の素子側電極群１１ｆと第２の配線板側電極群１２ｆとに圧接し、これら電極群１１ｆ，１２ｆのうち対応する電極同士を電気的に接続する。
【００３２】
表示制御回路からの電気信号は、プリント配線板１２の第１および第２の配線板側電極群１２ｅ，１２ｆと第１および第２のゴムコネクタ１３ｅ，１３ｆの導電層１３ａとを介して第１および第２の基板側電極群１２ｅ，１２ｆに伝達される。そして、電気信号は、さらに配線部１１ｈ，１１ｉを介して液晶層１１ｇの各画素電極および共通電極（例えば、ＩＴＯ電極膜等）に伝達される。これにより、液晶層１１ｇは、画素領域ごとに光変調状態が制御される。
【００３３】
本実施例では、第１のガラス基板１１ａの下端部から第１の基板側電極群１１ｅの上端部（第２のガラス基板１１ｂ側の端部）までの寸法がＬｅに設定されている。また、第２のガラス基板１１ｂの下端部から第２の基板側電極群１１ｆの下端部（第１のガラス基板１１ａにおける下端部側の端部）までの寸法はＬｆに設定されている。
【００３４】
また、第１および第２のゴムコネクタ１３ｅ，１３ｆは互いに同一形状および同一サイズを有し、その上下方向の幅はＬ３に設定されている。
【００３５】
さらに、本実施例では、第１および第２のゴムコネクタ１３ｅ，１３ｆの間に、幅がＬ４の絶縁層を形成するための絶縁性ゴム１４を配置している。
【００３６】
本実施例の表示装置１１は、以下の条件を満足するとよい。
【００３７】
Ｌ１＞（Ｌ３×２）＋Ｌ４  …（１）
この条件式（１）は、各ゴムコネクタを素子側電極群と配線板側電極群とに圧接させるために両電極群の間で圧縮変形させたときに、ゴムコネクタの変形スペースを確保するために必要な条件を示す。
【００３８】
さらに、本実施例の表示装置１１は、以下の条件をも満足するとよい。
【００３９】
Ｌｅ≦Ｌ３＋Ｌ４  …（２）
Ｌｆ≦Ｌ４＋Ｌ３  …（３）
すなわち、ＬｅおよびＬｆは、第１および第２のゴムコネクタ１３ｅ，１３ｆの各幅Ｌ３より小さい。また、ＬｅおよびＬｆは、第１および第２のゴムコネクタ１３ｅ，１３ｆにおける各幅Ｌ３と絶縁性ゴム１４の幅Ｌ４との和以下である。
【００４０】
図１Ａに示すように、素子側電極群１１ｅ，１１ｆを２列に形成するのは、該素子側電極群の電極数（つまりは、表示素子の画素数）を増やし、液晶表示素子１１に表示可能な情報量を増加させるためである。そして、本実施例では、これら２列の素子側電極群１１ｅ，１１ｆに対して２つのゴムコネクタ１３ｅ，１３ｆを使用し、各ゴムコネクタを各素子側電極群に対して最適な左右方向位置（範囲）に配置する。これにより、該表示装置１１Ａの組立時等に、各ゴムコネクタの左右方向における配置に多少の誤差が生じても、従来のような電極群間での短絡が生じないようにすることができる。すなわち、プリント配線板１２上の配線板側電極群１２ｅ，１２ｆからの電気信号を確実に素子側電極群１１ｅ，１１ｆに伝達させることができる。
【００４１】
さらに、上記条件式（２），（３）を満足することにより、各電極群に対して各ゴムコネクタに多少の上下方向の配置誤差があっても、電極群間の短絡が生じることはない。
【００４２】
以上により、表示素子１１Ａにおける電極群の数を増やしながらも、異方導電性ゴムコネクタを使用して、容易に表示素子１１Ａとプリント配線板１２との適切な電気的接続を行うことができる。
【００４３】
なお、前述したように、２つのゴムコネクタ１３ｅ，１３ｆの間に絶縁性ゴム１４を配置しているため、ゴムコネクタ１３ｅ，１３ｆの導電層１３ａ同士が接触して短絡が生じることはない。
【００４４】
また、ゴムコネクタ１３ｅ，１３ｆと絶縁性ゴム１４とを一体化してこれらを１つのコネクタとして扱えるようにしてもよい。これにより、２つのゴムコネクタ１３ｅ，１３ｆと絶縁性ゴム１４を別々に組み込む場合に比べて、組立作業性を良くすることができる。しかも、コネクタ全体としての幅が広くなるために、組立時に該コネクタが倒れにくくなり、より組立作業性を向上させることができる。
【００４５】
なお、本実施例では、表示素子１１Ａにおいて、第１の素子側電極群１１ｅと第２の素子側電極群１１ｆとが上下方向にて互いに重ならないように形成された場合について説明した。しかし、図１Ｂに示すように、第１の素子側電極群１１ｅ′と第２の素子側電極群１１ｆ′とが上下方向にてその一部同士が重なるように形成してもよい。図には、重なる部分をＢで示す。
【００４６】
これにより、各電極群内での電極間ピッチをより小さくし、電極数をより多くすることができる。そしてこのような場合でも、２列の素子側電極群１１ｅ′，１１ｆ′に対して２つのゴムコネクタを使用することで、プリント配線板１２上の配線板側電極群１２ｅ，１２ｆからの電気信号を容易かつ確実に素子側電極群１１ｅ′，１１ｆ′に伝達させることができる。
【実施例２】
【００４７】
上記実施例１では、異方導電性ゴムコネクタとして、導電層と絶縁層を積層した、いわゆる積層型ゴムコネクタを２つ用いた場合について説明した。しかし、このような積層型ゴムコネクタに変えて、以下に説明するような異方導電性ゴムコネクタを１つ用いてもよい。
【００４８】
図３Ａには、本発明の実施例２である液晶表示装置の一部の正面図および側面図を示す。この図において、実施例１と共通する構成要素には、実施例１と同じ符号を付して説明に代える。また、本実施例の液晶表示装置も、図２に示したカメラに搭載される。
【００４９】
ゴムコネクタ１８は、弾性絶縁部材である絶縁性ゴム１８ｂ内に、素子側電極群１１ｅ，１１ｆと配線板側電極群１２ｅ，１２ｆとの接続方向に延びる多数の金属線１８ａが、各電極群の電極間ピッチよりも非常に小さいピッチで配置されている。このようなゴムコネクタ１８では、金属線１８ａの延びる方向にのみ導電性を有する。したがって、ゴムコネクタ１８を用いれば、電極群間での短絡は生じない。このため、１つのゴムコネクタ１８を用いても、従来のような電極群間での短絡を生じることなく、プリント配線板１２上の配線板側電極群１２ｅ，１２ｆからの電気信号を確実に素子側電極群１１ｅ，１１ｆに伝達させることができる。
【実施例３】
【００５０】
上記実施例２では、異方導電性ゴムコネクタの導電体として金属線を用いた場合について説明したが、以下に説明する異方導電性ゴムコネクタを用いてもよい。
【００５１】
図３Ｂには、本発明の実施例３である表示装置に使用する異方導電性ゴムコネクタの正面断面を示す。以下の説明において、実施例１と共通する構成要素には、実施例１と同じ符号を付す。また、本実施例の液晶表示装置も、図２に示したカメラに搭載される。
【００５２】
本実施例のゴムコネクタ１９は、弾性絶縁部材である絶縁性ゴム１９ｂ内に、素子側電極群１１ｅ，１１ｆと配線板側電極群１２ｅ，１２ｆとの接続方向に延びる複数の平板状（棒状）導電体１９ａが左右方向に２列並ぶように配置したものである。
【００５３】
図中の下列の平板状導電体１９ａは、第１の素子側電極群１１ｅと第１の配線板側電極群１２ｅとを接続する第１の導電体群である。また、上列の平板状導電体１９ａは、第２の素子側電極群１１ｆと第２の配線板側電極群１２ｆとを接続する第２の導電体群である。
【００５４】
このようなゴムコネクタ１９では、平板状導電体１９ａの延びる方向にのみ導電性を有する。したがって、ゴムコネクタ１９を用いる場合、電極群間での短絡は生じない。このため、１つのゴムコネクタ１９を用いても、電極群間での短絡を生じることなく、プリント配線板１２上の配線板側電極群１２ｅ，１２ｆからの電気信号を確実に素子側電極群１１ｅ，１１ｆに伝達させることができる。
【００５５】
なお、上記各実施例では、表示素子に設けられた素子側電極群およびプリント配線板に設けられた配線板側電極群を２列配置した場合ついて説明したが、本発明は、素子側電極群および配線板側電極群を３列以上配置した場合にも適用することができる。
【００５６】
また、上記各実施例では、コンパクトデジタルカメラに搭載される液晶表示装置について説明したが、本発明は、一眼レフカメラ、ビデオカメラ等の撮像装置や交換レンズ装置、さらには複写機、プリンタ等の画像形成装置といった様々な光学機器の表示装置に適用することができる。さらに、本発明は、液晶表示装置以外の表示装置であって、２枚の透明基板の間に光変調層を有するものにも適用することができる。
【図面の簡単な説明】
【００５７】
【図１Ａ】本発明の実施例１である液晶表示装置の正面図および側面図。
【図１Ｂ】実施例１の変形例である液晶表示装置の部分図。
【図２】実施例１の液晶表示装置が搭載されたカメラの斜視図。
【図３Ａ】本発明の実施例２である液晶表示装置の正面図および側面図。
【図３Ｂ】本発明の実施例３である液晶表示装置の正面図および側面図。
【図４】従来の液晶表示装置の正面図および側面図。
【図５】従来の液晶表示装置の正面図および側面図。
【符号の説明】
【００５８】
１１  液晶表示装置
１１Ａ  液晶表示素子
１１ａ，１１ｂ  ガラス基板
１１ｃ，１１ｄ  偏光板
１１ｅ，１１ｆ  素子側電極群
１１ｇ  液晶層
１２  プリント配線板
１２ｅ，１２ｆ  配線板側電極群
１３ａ  導電層
１３ｂ  絶縁層
１３ｅ，１３ｆ，１８，１９  異方導電性ゴムコネクタ
１４  絶縁性ゴム
１８ａ  金属線
１８ｂ，１９ｂ  絶縁性ゴム
１９ａ  平板状導電体
１００  コンパクトデジタルカメラ
【図１Ａ】
2007199460.tif 000003
【図１Ｂ】
2007199460.tif 000004
【図２】
2007199460.tif 000005
【図３Ａ】
2007199460.tif 000006
【図３Ｂ】
2007199460.tif 000007
【図４】
2007199460.tif 000008
【図５】
2007199460.tif 000009